(57)【特許請求の範囲】
【請求項１】
各一対の端壁(2)及び側壁(3)を連設して四角筒状の周壁(1)を形成し、端壁(2)から延びる端フラップ(6)に、側壁(3)から延びる側フラップ(7)を重ねて封緘し、上部を切除して商品を陳列する包装陳列兼用箱において、天面の隣接する端フラップ(6)と側フラップ(7)とを繋いで、その境界に山折線(9)を入れ、これら両方の側フラップ(7)及び前方へ向ける端フラップ(6)に亘って、前下がりとなる切目線(10)を入れると共に、両方の端フラップ(6)に、その基端両外側から先端中央側へかけて斜めに谷折線(11)を入れ、封緘に際しては、両方の端フラップ(6)を谷折線(11)に沿って谷折りしつつ、端フラップ(6)と側フラップ(7)とを山折線(9)に沿って折り重ね、商品の陳列に際しては、両方の側フラップ(7)及び端フラップ(6)を起こして、天面を開き、一方の側フラップ(7)、前方の端フラップ(6)及び他方の側フラップ(7)を切目線(10)に沿って順次切断することを特徴とする包装陳列兼用箱。
【請求項２】
請求項１に記載の包装陳列兼用箱において、端フラップ(6)の先端中央部に、２本の谷折線(11)が交わる部分を除去する切欠部(12)を設けたことを特徴とする包装陳列兼用箱。
【請求項３】
請求項１又は２に記載の包装陳列兼用箱において、前方の端フラップ(6)からその下方の端壁(2)へかけて切目線(10)を迂回させ、商品の陳列に際し、両方の側フラップ(7)、前方の端フラップ(6)及びその下方の端壁(2)を切断することを特徴とする包装陳列兼用箱。
【発明の詳細な説明】
【技術分野】
【０００１】
この発明は、商品の輸送用の包装及び店頭での陳列に兼用する包装陳列兼用箱に関するものである。
【背景技術】
【０００２】
従来、図８に示すように、各一対の端壁５１及び側壁５２から成る四角筒の周壁５０の全周に亘って、鉤形の切目が断続する２本の切目線５３ａに挟まれた引裂帯５３を設け、端壁５１から延びる端フラップ５４に、側壁５２から延びる側フラップ５５を重ねて粘着テープＴの貼り付け等により封緘する段ボール箱が使用されている。
【０００３】
この箱に収納した商品を陳列する際には、引裂帯５３を切始部５３ｂから両方向へ引っ張って周壁５０を切断し、引裂帯５３の上方部分を除去して、図９に示すように、前下がりに開放した状態で、商品Ｇを陳列する。このように、上部を除去して商品を陳列する箱は、下記特許文献１に記載されている。
【０００４】
【特許文献１】実開昭５４−２５８０号公報
【発明の開示】
【発明が解決しようとする課題】
【０００５】
しかしながら、上記のような箱では、周壁５０に入れた引裂帯５３の２本の切目線５３ａにより、包装状態での積上時における耐圧強度が低下するほか、引裂帯５３が途中で千切れると、所定形状に開口させることが困難になるという問題がある。
【０００６】
そこで、この発明は、包装状態での耐圧強度に優れ、陳列用に切断して開放する作業も容易な包装陳列兼用箱を提供することを課題とする。
【課題を解決するための手段】
【０００７】
上記のような課題を解決するため、この発明は、各一対の端壁及び側壁を連設して四角筒状の周壁を形成し、端壁から延びる端フラップに、側壁から延びる側フラップを重ねて封緘し、上部を切除して商品を陳列する包装陳列兼用箱において、天面の隣接する端フラップと側フラップとを繋いで、その境界に山折線を入れ、これら両方の側フラップ及び前方へ向ける端フラップに亘って、前下がりとなる切目線を入れると共に、両方の端フラップに、その基端両外側から先端中央側へかけて斜めに谷折線を入れ、封緘に際しては、両方の端フラップを谷折線に沿って谷折りしつつ、端フラップと側フラップとを山折線に沿って折り重ね、商品の陳列に際しては、両方の側フラップ及び端フラップを起こして、天面を開き、一方の側フラップ、前方の端フラップ及び他方の側フラップを切目線に沿って順次切断することとしたのである。
【０００８】
これにより、周壁に２本の切目線に挟まれた引裂帯を設けることなく、陳列用に切断して開放できるようになる。
【０００９】
また、端フラップの先端中央部に、２本の谷折線が交わる部分を除去する切欠部を設けると、端フラップの折り曲げに伴う反発を抑制することができる。
【００１０】
さらに、前方の端フラップからその下方の端壁へかけて切目線を迂回させ、両方の側フラップ、前方の端フラップ及びその下方の端壁を切断すると、商品が見える面積が一層拡大され、陳列効果が向上する。
【発明の効果】
【００１１】
この発明に係る包装陳列兼用箱では、周壁に２本の切目線に挟まれた引裂帯を設ける必要がないので、包装状態での積上時における耐圧強度が低下することがなく、陳列用に切断して開放する際、引裂帯が千切れることもないので、商品が見えやすい陳列状態にする作業を簡単に行なうことができる。
【発明を実施するための最良の形態】
【００１２】
以下、この発明の実施形態を添付図面に基づいて説明する。
【００１３】
この発明の第１実施形態に係る包装陳列兼用箱は、図１に示すような段ボールのブランクから形成される。このブランクでは、図１に示すように、周壁１を形成する各一対の端壁２及び側壁３が交互に連設され、端壁２及び側壁３の下端には、底面を閉止する端フラップ４及び側フラップ５がそれぞれ連設されている。
【００１４】
端壁２及び側壁３の上端には、天面を閉止する端フラップ６及び側フラップ７がそれぞれ連設され、一端の端壁２及び端フラップ６の外側には継代片８が連設されている。
【００１５】
隣接する端フラップ６と側フラップ７とは、一般的な溝切型段ボール箱のように切溝を介することなく繋がれ、隣接する端フラップ６と側フラップ７の境界及び一端の端フラップ６と継代片８の境界には、山折線９として裏面側から押罫が入れられている。
【００１６】
また、一対の側フラップ７及びその間に挟まれた端フラップ６に亘って、陳列時に前下がりとなる切目線１０が入れられている。切目線１０は、片ジッパと呼ばれる鉤形の切目が断続する１本の切目線から成るものとされている。
【００１７】
一対の端フラップ６には、その基端両外側から先端中央へかけて、基端の罫線に対し４５°傾いた谷折線１１が設けられている。谷折線１１は、段ボールの表面側から入れた押罫とされている。
【００１８】
このブランクを組み立てて商品を包装するには、図２に示すように、各一対の端壁２及び側壁３を折り曲げて周壁１を四角筒状に形成し、端フラップ４及び側フラップ５を順次内側に折り曲げて重ね合わせ、粘着テープＴを貼り付けて底面を閉止する。
【００１９】
そして、箱内に商品を収納した後、両方の端フラップ６を谷折線１１に沿って谷折りしつつ、端フラップ６と側フラップ７とを山折線９に沿って折り重ねることにより、天面を閉止し、粘着テープＴを貼り付けて封緘する。
【００２０】
この封緘状態では、周壁１の各一対の端壁２及び側壁３に切目線１０が入れられていないので、輸送時や保管に際し、積上荷重が作用しても、周壁１の座屈による胴膨れが生じにくく、商品が保護される。
【００２１】
一方、上記のように包装した商品を小売店に配送し、店頭において陳列する際には、まず、粘着テープＴを剥がして開封すると、図３に示すように、端フラップ６及び側フラップ７が折目の反発により同時に起き上がり、天面が開口する。
【００２２】
次に、図４に示すように、一方の側フラップ７、前方の端フラップ６及び他方の側フラップ７を切目線１０に沿って順次切断し、切目線１０の上方部分を除去する。
【００２３】
このとき、一連の動作で幅広く段ボールを切り取るので、従来の引裂帯によるものよりもスムーズに作業でき、また、手で切断するので、カッターナイフを使用する場合のように、商品を傷付けることもない。
【００２４】
そして、図５に示すように、他の箱から取り出した商品Ｇをこの箱に収納された商品Ｇの上に載せると、この箱は、前方の端フラップ６から両方の側フラップ７へかけて前下がりに開放されているので、店内の客から商品Ｇがよく見える。
【００２５】
また、この箱は、従来の溝切型のものと同様、フレキソグルアのラインで容易に製造することができ、製造設備の改装に多大なコストがかかることがない。
【００２６】
なお、材料の段ボールが厚手である等の理由により、端フラップ６の反発が強すぎる場合には、図６に示す第２実施形態のように、端フラップ６の先端中央部に、２本の谷折線１１が交わる部分を除去する切欠部１２を設けると、端フラップ６の折り曲げに伴う反発を抑制することができ、封緘作業を容易に行なうことができる。
【００２７】
そのほか、図７に示す第３実施形態のように、前方の端フラップ６からその下方の端壁２へかけて切目線１０を迂回させ、商品Ｇの陳列に際し、両方の側フラップ７及び前方の端フラップ６だけでなく、この端フラップ６の下方の端壁２も切断すると、商品Ｇが見える面積が一層拡大され、陳列効果が向上する。
【図面の簡単な説明】
【００２８】
【図１】第１実施形態に係る包装陳列兼用箱のブランクを示す図
【図２】同上の包装状態を示す斜視図
【図３】同上の開封状態を示す斜視図
【図４】同上の切断過程を示す斜視図
【図５】同上の陳列状態を示す斜視図
【図６】第２実施形態に係る包装陳列兼用箱の開封状態を示す斜視図
【図７】第３実施形態に係る包装陳列兼用箱の陳列状態を示す斜視図
【図８】従来の包装陳列兼用箱の包装状態を示す斜視図
【図９】同上の陳列状態を示す斜視図
【符号の説明】
【００２９】
１  周壁
２  端壁
３  側壁
４  端フラップ（底面）
５  側フラップ（底面）
６  端フラップ（天面）
７  側フラップ（天面）
８  継代片
９  山折線
１０  切目線
１１  谷折線
１２  切欠部
【図１】
0005086168.tif 000002
【図２】
0005086168.tif 000003
【図３】
0005086168.tif 000004
【図４】
0005086168.tif 000005
【図５】
0005086168.tif 000006
【図６】
0005086168.tif 000007
【図７】
0005086168.tif 000008
【図８】
0005086168.tif 000009
【図９】
0005086168.tif 000010